(57)【要約】      （修正有）【課題】温水浴、気泡の噴射、振動等により足首から下のマッサージを行う足浴器において、特に温熱マッサージするユーザの安全性をより向上させた足浴器を提供する。【解決手段】足浴槽２と、足浴槽２内に溜められた水を加熱するヒータ４とを有する足浴器１において、識別センサにより識別された水面の高さと予め設定された第１の閾値とを比較し、温度検知部により検知された温度と予め設定された第２の閾値とを比較する比較し、足浴槽２内で循環させられた水の循環状況を判別する判別し、水面の高さが第１の閾値以下であるものと判定し、又は上記温度が第２の閾値以上であるものと判定し、又は水が循環していない旨を判別した場合に、ヒータ４による加熱動作を停止させる。【選択図】図１
2006181033.tif 000002
【特許請求の範囲】
【請求項１】
足浴槽と、上記足浴槽内に溜められた水を加熱するヒータとを有する足浴器において、
上記足浴槽内に溜められた水における水面の高さを識別する識別手段と、
上記識別手段により識別された水面の高さと予め設定された第１の閾値とを比較する比較手段と、
上記比較手段により、上記水面の高さが上記第１の閾値以下であるものと判定された場合には、上記ヒータによる加熱動作を停止させる熱源制御手段とを備えること
を特徴とする足浴器。
【請求項２】
足浴槽と、上記足浴槽内に溜められた水を加熱するヒータとを有する足浴器において、
上記足浴槽内に溜められた水の温度を検知する温度検知手段と、
上記温度検知手段により検知された温度と予め設定された第２の閾値とを比較する比較手段と、
上記比較手段により、上記温度が上記第２の閾値以上であるものと判定された場合には、上記ヒータによる加熱動作を停止させる熱源制御手段とを備えること
を特徴とする足浴器。
【請求項３】
上記温度検知手段により検知された温度をユーザに表示するための表示手段をさらに備えること
を特徴とする請求項２記載の足浴器。
【請求項４】
足浴槽と、上記足浴槽内に溜められた水を加熱するヒータとを有する足浴器において、
上記足浴槽を振動させる振動手段と、
上記振動手段による振動に応じて当該足浴槽内で循環させられた水の循環状況を判別する判別手段と、
上記判別手段により判別された水の循環状況に基づき、上記ヒータによる加熱動作を停止させる熱源制御手段とを備えること
を特徴とする足浴器。
【請求項５】
上記足浴槽内に溜められた水に気泡を発生させる気泡発生手段をさらに備えること
を特徴とする請求項１〜４のうち何れか１項記載の足浴器。
【請求項６】
上記足浴槽における底面に設けられた排水口と、
筐体外部から伸縮自在となるように配設されてなり、上記排水口を介して上記足浴槽内に溜められた水を流出させるための排水ホースとを備えること
を特徴とする請求項１〜５のうち何れか１項記載の足浴器。
【請求項７】
上記足浴槽の内側底面には、複数の突起が形成されてなること
を特徴とする請求項１〜６のうち何れか１項記載の足浴器。
【請求項８】
足浴槽と、上記足浴槽内に溜められた水を加熱するヒータとを有する足浴器において、
上記足浴槽内に溜められた水における水面の高さを識別する識別手段と、
上記識別手段により識別された水面の高さと予め設定された第１の閾値とを比較する比較手段と、
上記足浴槽内に溜められた水の温度を検知する温度検知手段と、
上記温度検知手段により検知された温度と予め設定された第２の閾値とを比較する比較手段と、
上記足浴槽を振動させる振動手段と、
上記振動手段による振動に応じて当該足浴槽内で循環させられた水の循環状況を判別する判別手段と、
上記比較手段により上記水面の高さが上記第１の閾値以下であるものと判定され、又は上記比較手段により上記温度が上記第２の閾値以上であるものと判定され、又は上記判別手段により水が循環していない旨が判別された場合に、上記ヒータによる加熱動作を停止させる熱源制御手段とを備えること
を特徴とする足浴器。
【発明の詳細な説明】
【技術分野】
【０００１】
本発明は、温水浴、気泡の噴射、振動等により足首から下のマッサージを行う際に好適な足浴器に関する。
【背景技術】
【０００２】
従来より、人の健康維持や、患部の痛みを和らげるための一手段として、人体のツボを刺激することが広く行われており、特に足首や足の裏側等にツボが集中していることが経験上広く知られている。また、低血圧や冷え性の場合には、血行をよくするために、足を部分的に温める健康法も広く知られている。
【０００３】
ここで、足部のツボを刺激するための器具としては、青竹踏みや足の載置面に複数の突起を設けた健康サンダル等が存在する。しかしながら、上記の器具によるマッサージは、使用者に足の運動を伴わせるため、使用者がリラックスした状態でのマッサージには不向きである。また、複数のマッサージ効果を同時に享受することができない点においても改善の余地があった。
【０００４】
このような欠点を解消すべく、足裏のツボを刺激するマッサージと、足首部分の温水浴等の温熱マッサージとを同時に行うことが可能な足浴器が従来において提案されている（例えば、特許文献１、２参照。）。
【特許文献１】特開２００３−２１０５４８号公報
【特許文献２】実用新案登録第３０９２３０１号公報
【特許文献３】特開２００３−２２０１１４号公報
【発明の開示】
【発明が解決しようとする課題】
【０００５】
しかしながら、上記従来の特許文献２における開示技術では、ユーザは自ら足浴槽に温水を張らなければならない。特にこの湯水について温熱マッサージを行うのに最適な温度へユーザ自らがコントロールしなければならず、多大な労力が必要となる。また、この湯水を常時一定温度にフィードバック制御するための機構が搭載されていないことから、数分経過後には湯水が冷めてしまい、長時間に亘るマッサージを行うことができないという問題点もあった。
【０００６】
また、特許文献３においては、足浴槽内の湯水を温めるための熱源を内蔵した足浴器が開示されている。
【０００７】
しかしながら、この特許文献３に示される足浴器は、あくまでヒータからの熱を湯水に伝えることにより、その温度を上昇させるものである。このため、足浴槽内に水が張られていない場合にヒータからの加熱動作がなされた場合には、当該ヒータが必要以上に温まり、これにユーザの足が接触した場合には、火傷等の外傷を被ることになり安全性を欠く。
【０００８】
また、足浴槽内に張られた湯水の最適な温度は、ユーザの好みによって異なるのが一般的である。特に、この湯水の温度が上昇し過ぎた場合には、火傷の原因ともなるため、これを効率的に回避するための機能を案出する必要もあった。
【０００９】
さらに、このヒータにより湯水を加熱した場合において、これを足浴槽内において常に循環しなければ、全体の温度を均一にすることができない。仮に湯水が足浴槽内において効率よく循環しない場合には，ヒータ近傍にある湯水と、ヒータから離れた湯水との間で温度差が生じ、温熱マッサージの成果を向上させることができない。さらには、ヒータ近傍にある湯水のみが温まり過ぎた場合には、火傷の原因ともなり、安全性の観点において妥当性を欠くことになる。
【００１０】
そこで、本発明は、上述した問題点に鑑みて案出されたものであり、その目的とするところは、温水浴、気泡の噴射、振動等により足首から下のマッサージを行う足浴器において、特に温熱マッサージするユーザの安全性をより向上させた足浴器を提供することにある。
【課題を解決するための手段】
【００１１】
本発明に係る足浴器は、上述した課題を解決するために、足浴槽と、足浴槽内に溜められた水を加熱するヒータとを有する足浴器において、足浴槽内に溜められた水における水面の高さを識別する識別手段と、識別手段により識別された水面の高さと予め設定された第１の閾値とを比較する比較手段と、比較手段により、水面の高さが第１の閾値以下であるものと判定された場合には、ヒータによる加熱動作を停止させる熱源制御手段とを備える。
【００１２】
本発明に係る足浴器は、上述した課題を解決するために、足浴槽と、足浴槽内に溜められた水を加熱するヒータとを有する足浴器において、足浴槽内に溜められた水の温度を検知する温度検知手段と、温度検知手段により検知された温度と予め設定された第２の閾値とを比較する比較手段と、比較手段により、温度が第２の閾値以上であるものと判定された場合には、ヒータによる加熱動作を停止させる熱源制御手段とを備える。
【００１３】
本発明に係る足浴器は、上述した課題を解決するために、足浴槽と、足浴槽内に溜められた水を加熱するヒータとを有する足浴器において、足浴槽を振動させる振動手段と、振動手段による振動に応じて当該足浴槽内で循環させられた水の循環状況を判別する判別手段と、判別手段により判別された水の循環状況に基づき、ヒータによる加熱動作を停止させる熱源制御手段とを備える。
【００１４】
本発明に係る足浴器は、上述した課題を解決するために、足浴槽と、足浴槽内に溜められた水を加熱するヒータとを有する足浴器において、足浴槽内に溜められた水における水面の高さを識別する識別手段と、識別手段により識別された水面の高さと予め設定された第１の閾値とを比較する比較手段と、足浴槽内に溜められた水の温度を検知する温度検知手段と、温度検知手段により検知された温度と予め設定された第２の閾値とを比較する比較手段と、足浴槽を振動させる振動手段と、振動手段による振動に応じて当該足浴槽内で循環させられた水の循環状況を判別する判別手段と、比較手段により水面の高さが第１の閾値以下であるものと判定され、又は比較手段により温度が第２の閾値以上であるものと判定され、又は判別手段により水が循環していない旨が判別された場合に、ヒータによる加熱動作を停止させる熱源制御手段とを備える。
【発明の効果】
【００１５】
本発明は、識別した水面の高さが第１の閾値以下であるものと判定された場合、又は検知した温度が第２の閾値以上であるものと判定された場合、又は水が循環していない旨を判別した場合に、ヒータによる加熱動作を停止させるため、温熱マッサージするユーザの安全性をより向上させることが可能となる。
【発明を実施するための最良の形態】
【００１６】
以下、本発明を実施するための最良の形態として、足首から下のマッサージを行う足浴器について、図面を参照しながら詳細に説明する。
【００１７】
図１〜図３は、本発明を適用した足浴器１を示した図である。この足浴器１は、上部ケーシング６と、下部ケーシング７とで形成された足浴槽２内において、気泡吹出管３と、ヒータ４とを備えている。
【００１８】
足浴槽２は、上部ケーシング６において２０ｃｍ程度の深さとなるように一体成形されてなる。この足浴槽２の横断面形状は、隆起部８を取り囲むような幅広のＵ字状に形成されており、足浴槽２内に隆起部８を隔てて両足を置くことができるようになっている。そして、足浴槽２の底面には先端に丸みを帯びた半球状の大小の突起２ａが一定間隔をおいて複数形成されており、突起２ａの上に足を載せることによって足裏のツボを刺激できるようになっている。
【００１９】
そして隆起部８を隔てた足浴槽２の左右の底面には、それぞれ１本ずつ気泡噴出管３が取付けられている。この気泡噴出管３には足浴槽２の内側に向けて複数の気泡噴出口３ａが列状に開口されている。そして気泡噴出管３は、足裏のツボが集中する両足の土踏まず付近を経て足のつま先からかかとを縦断するように足浴槽２の対面に配置されている。
【００２０】
各気泡噴出管３は、足浴器１内部において送風管１０を介して気泡発生装置２２と接続される。この気泡発生装置２２の内部には、送風羽根４ｂがモータ１２の回転軸に取付けられており、気泡発生装置２２の送風口から取り入れた空気を送風羽根４ｂの回転で２つの送風管１０及び気泡噴出管３に送り込むようになっている。なお、各送風管１０の内部にはそれぞれ逆流防止弁１３が配置されており、気泡噴出口３ａから気泡発生装置２２に向けての浸水が防止されるようになっている。
【００２１】
また足浴槽２の側面には、通電することにより足浴槽２内の水を加熱するヒータ４が設けられている。このヒータ４は、ヒータ用ケース４ａにより覆われるようにしてもよい。このヒータ用ケース４ａの内側に例えばネオセラムガラスを材質とした放熱板を形成させることにより、かかるヒータ用ケース４ａが熱くなるのを抑えることが可能となる。
【００２２】
さらに足浴槽２の底面には、排水口７１が設けられている。この排水口７１には、先端に栓７２が設けられた排水ホース７３が配設されている。この排水ホース７２は、下部ケーシング７から伸縮自在となるように配設されてなり、排水口７１を介して足浴槽２内に溜められた水を流出させることになる。これにより、使用済みの湯水を捨てる際において、栓７２を開けるのみでこれを実現でき、ユーザの労力の負担を解消させることが可能となる。
【００２３】
また、この足浴槽２の上面には、ユーザに対して各種情報を表示するとともに、ユーザが所望の操作を実行するための表示操作部１７が配設されている。図４は、この表示操作部１７の詳細を示している。この図４に示すように、表示操作部１７は、現時点における足浴槽２内の湯水の温度をユーザに知らせる温度表示部３１、電源のＯＮ／ＯＦＦや、各種設定状況をユーザに知らせるための情報表示部３２を有し、さらに所定時間経過後にヒータ４による加熱動作を停止させるためのタイマー３３や、振動ボタン３４、気泡ボタン３５、温度上昇ボタン３６、温度下降ボタン３７、電源のＯＮ／ＯＦＦを命令するための電源ボタン３８を有する。ちなみに、この気泡ボタン３５を押圧入力することで、上記気泡発生装置２２を作動させることができる。この温度上昇ボタン３６や温度下降ボタン３７を押圧することにより、図示しないサーモスタットを働かせることができ、足浴槽２内の湯水の温度を制御することも可能となる。
【００２４】
さらに、本発明を適用した足浴器１の内部には、モータ４４の回転軸上に鐘４５を偏心状態で取付けて構成されたバイブレータ４６と、マッサージ用部品９ａの駆動モータ４８とが、足浴槽２の隆起部８内側に位置するように収納されている。このバイブレータ４６は、振動ボタン３４が押圧入力された場合に動作することになる。さらに、この足浴槽２の隆起部８上には、ユーザに対して注意を促すための赤ランプ５１が設けられている。
【００２５】
なお、足浴槽２のつま先側には、足浴槽２に向けて張り出したひさし状の図示しない上蓋が上部ケーシング６に取付けられていてもよい
【００２６】
図５は、本発明を適用した足浴器１のブロック構成を示している。足浴器１は、各構成要素を制御するいわゆる中央演算ユニットとしての回路ユニット５に対して、それぞれヒータ４、識別センサ６１、温度検知部６３、気泡発生装置２２、表示操作部１７が接続されている。
【００２７】
回路ユニット５は、ＣＰＵやメモリ等が実装されてなる。識別センサ６１は、足浴槽２に溜められた水の水面の高さ（水位）を識別するためのいわゆる水位センサである。温度検知部６３は、足浴槽２内に溜められた水の温度を測定するための熱電対等で構成されるが、これに限定されるものではなく、いかなる温度センサで構成されていてもよい。
【００２８】
表示操作部１７は、回路ユニット５に接続される。この表示操作部１７により入力された内容は回路ユニット５へ通知される。また回路ユニット５からの各種表示命令が通知された場合には、この表示操作部１７を介してこれを表示することになる。
【００２９】
上述のような構成からなる足浴器１の動作につき、図５を用いて説明をする。
【００３０】
先ずステップＳ１０において、ユーザは、足浴槽２内に水（湯）を張る。次にステップＳ１１へ移行し、ユーザは電源ボタン３８の押圧入力を実行する。
【００３１】
次にステップＳ１２へ移行し、ユーザによる電源ボタン３８が押圧入力を受けて、回路ユニット５は、ヒータ４を介して足浴槽２内に溜められた水を加熱する。このとき、ユーザにより振動ボタン３４や気泡ボタン３５が押圧された場合には、バイブレータ４６が振動動作し、或いは気泡噴出管３から気泡を発生させる。
【００３２】
次にステップＳ１３へ移行し、識別センサ６１は、足浴槽２内に溜められた水における水面の高さを識別する。次に回路ユニット５は、識別センサ６１により識別された水面の高さと予め設定された第１の閾値とを比較する。この第１の閾値は、例えば回路ユニット５内の図示しないメモリ等に予め格納されているが、ユーザの意思に応じて任意に書き換え可能な値である。
【００３３】
このステップＳ１３における比較の結果、識別した水面の高さが上記第１の閾値以下であるものと判定された場合には、足浴槽２内において水が所定の水面の高さに至るまで溜められていない旨が示されている。かかる場合において、ヒータ４を介して加熱動作を継続した場合には、当該ヒータ４が必要以上に温まり、これにユーザの足が接触した場合には、火傷等の外傷を被ることになる。このため、識別した水面の高さが上記第１の閾値以下であるものと判定された場合に、回路ユニット５は、ヒータ４による加熱動作を停止させる。これにより安全性をより向上させることが可能となる。ちなみに、上記第１の閾値は、ヒータ４のより安全な加熱動作を継続する上で最低限の水面の高さを意味している。
【００３４】
なお、識別した水面の高さが上記第１の閾値以上である場合には、ステップＳ１４へ移行する。このステップＳ１４においては、温度検知部６３は、足浴槽２内に溜められた湯水の温度を検知する。このとき、回路ユニット５は、検知した温度につき、温度表示部３１を介して１℃単位で表示するようにしてもよい。これにより、ユーザは、現時点における湯水の温度を識別することが可能となる。次に回路ユニット５は、温度検知部６３により検知された温度と予め設定された第２の閾値とを比較する。この第２の閾値は、例えば回路ユニット５内の図示しないメモリ等に予め格納されているが、ユーザの意思に応じて任意に書き換え可能な値である。
【００３５】
このステップＳ１４における比較の結果、検知した温度が上記第２の閾値以上であるものと判定された場合には、足浴槽２内の湯水が最適な温度よりも高くなっていることを意味している。かかる場合において、加熱動作を続けることになれば、最適な温度による温熱マッサージを行うことができなくなり、さらにこの湯水の温度が上昇し過ぎた場合には、火傷の原因ともなる。このため、識別した温度が上記第２の閾値以上であるものと判定された場合に、回路ユニット５は、ヒータ４による加熱動作を停止させる。これにより安全性をより向上させることが可能となる。ちなみに、上記第２の閾値は、ヒータ４による安全な加熱動作を継続する上での温度の上限といえる。
【００３６】
なお、検知した温度が上記第２の閾値より低い場合には、ステップＳ１５へ移行する。このステップＳ１５において、回路ユニット５は、バイブレータ４６による振動によって足浴槽２内で循環させられた水の循環状況を判別する。この回路ユニット５による水の循環状況の判別は、例えば振動ボタン３８につき押圧入力がなされたか否かに基づいて実行するようにしてもよい。
【００３７】
ちなみに、この足浴槽２内における水の循環が不十分である場合には、かかる足浴槽２内の水の温度が全体的に不均一であることを意味している。かかる場合には、ヒータ４近傍にある湯水と、ヒータ４から離れた箇所における湯水との間で温度差が生じ、温熱マッサージの成果を向上させることができない。さらには、ヒータ４近傍にある湯水のみが温まり過ぎた場合には、火傷の原因ともなる。
【００３８】
このため、このステップＳ１５における比較の結果、足浴槽２内における水の循環が不十分であるものと判別された場合に、回路ユニット５は、ヒータ４による加熱動作を停止させる。これにより、安全性を確保することが可能となる。
【００３９】
次にステップＳ１６へ移行し、回路ユニット５は、電源ボタン３８につきＯＦＦに切り替えられているか否か識別する。その結果、電源ボタン３８がＯＦＦに切り替えられている場合には、ヒータ４による加熱動作を終了させる。これに対して、電源ボタン３８がＯＮ状態が継続している場合には、再びステップＳ１２へ移行し、上述の処理を繰り返すことになる。
【００４０】
このように、本発明を適用した足浴器１では、ユーザの安全性をより向上させつつ、足裏のツボを刺激するマッサージと同時に温熱マッサージとを効果的に行うことが可能となる。
【００４１】
なお、上述した図６に示す例では、ステップＳ１３、ステップＳ１４、ステップＳ１５につき順次実行していく場合につき説明をしたが、かかる順序に限定されるものではなく、これらの順序がランダムに逆転する場合も同様の効果が得られることになる。また、本発明を適用した足浴器１では、このステップＳ１３、ステップＳ１４、ステップＳ１５の何れか１工程のみ含まれていればよいことは勿論である。
【図面の簡単な説明】
【００４２】
【図１】本発明を適用した足浴器の斜視図である。
【図２】本発明を適用した足浴器の第１の側面図である。
【図３】本発明を適用した足浴器の第２の側面図である。
【図４】表示操作部の詳細につき説明するための図である。
【図５】本発明を適用した足浴器のブロック構成図である。
【図６】本発明を適用した足浴器の動作手順を示すフローチャートである。
【符号の説明】
【００４３】
１  足浴器
２  足浴槽
３  気泡吹出管
４  ヒータ
６  上部ケーシング
７  下部ケーシング
８  隆起部
１０  送風管
１７  表示操作部
２２  気泡発生装置
６１  識別センサ
６３  温度検知部
【図１】
2006181033.tif 000003
【図２】
2006181033.tif 000004
【図３】
2006181033.tif 000005
【図４】
2006181033.tif 000006
【図５】
2006181033.tif 000007
【図６】
2006181033.tif 000008